(57)【要約】【課題】  構造が簡単で利用者が安全に通行できる回転ドアを提供することである。【解決手段】回転自在に設置される回転体２と、この回転体２に軸支される複数のドアパネルとを有する回転ドア１であって、ドアパネルは、回転体２に隣接する第１のドアパネル３と、この第１のドアパネル３にヒンジ５を介して枢設され回転体２の回転方向の逆方向に開閉可能な第２のドアパネル４とを備え、ヒンジ５は回転体２の回転方向と逆方向に開いた第２のドアパネル４を閉じさせる復元力を付勢する弾性部を具備するものである。【選択図】  図１
2005330705.tif 000002
【特許請求の範囲】
【請求項１】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、前記ヒンジは前記回転体の回転方向と逆方向に開いた前記第２のドアパネルを閉じさせる復元力を付勢する弾性部を具備することを特徴とする回転ドア。
【請求項２】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、この第２のドアパネルにドアクローザが設けられ、このドアクローザは前記回転体の回転方向と逆方向に開いた前記第２のパネルを閉じさせる復元力を付勢することを特徴とする回転ドア。
【請求項３】
前記ドアパネルの上方に固設され、前記第２のドアパネルの前記回転体の回転方向の順方向への開閉を抑止するストッパを具備することを特徴とする請求項１又は請求項２に記載の回転ドア。
【請求項４】
前記第２のドアパネルの下方に転動部が設置されることを特徴とする請求項１乃至請求項３のいずれか１項に記載の回転ドア。
【請求項５】
前記第１のドアパネルと前記第２のドアパネルの間にはスリット部が形成されることを特徴とする請求項１乃至請求項４のいずれか１項に記載の回転ドア。
【請求項６】
前記第１のドアパネルと第２のドアパネルの互いに隣接する端部は、対向する曲面に形成されることを特徴とする請求項１乃至請求項５のいずれか１項に記載の回転ドア。
【請求項７】
前記第２のドアパネルの開状態を検出して検出信号を発生するセンサと、このセンサからの検出信号を受信して前記回転体の駆動源へ停止信号を送信する制御部とを有することを特徴とする請求項１乃至請求項６のいずれか１項に記載の回転ドア。
【発明の詳細な説明】
【技術分野】
【０００１】
本発明は、建築物の出入口に設置される回転ドアに関し、特に、挟まれ事故を未然に防止する回転ドアに関する。
【背景技術】
【０００２】
一般に、建築物の出入口に設置される回転ドアは、頻繁に開閉するスライド式ドアに比べて建物内部の気密性が高く、冷暖房の効率が良いことから高層ビル等に広く用いられている。その一方で、回転物であるが故に、挟まれ事故が多発していることも事実である。
このような挟まれ事故を回避するために、多くの回転ドアには種々のセンサが設置され、センサが利用者の危険を検出した場合に回転ドアの回転を停止するなどして利用者が安全に通行できるように配慮されている。また、利用者が扉に接触した場合等に回転ドアの扉を折曲して接触時の衝撃を和らげるなどの工夫も施されている。
【０００３】
例えば、特許文献１には、駆動装置によって一方向に回転する回転体と、この回転体の回転軸に回動自在に軸支される複数のドアパネルと、このドアパネルを回転体の回転方向と逆方向に折曲可能に保持するドアクローザと、出入口を有する円弧状の側壁とを備え、ドアパネルが折曲した場合に回転体が停止する自動回転ドアにおいて、回転軸に連結され通電時にブレーキが作動する電磁ブレーキと、ドアセンサ又は戸挟みセンサの検知信号を受信して電磁ブレーキの通電を断つ制御部とを備える折れ曲がり防止機構を具備する自動回転ドアが開示されている。
この特許文献１に開示された発明では、ドアセンサや戸挟みセンサを設置してドアパネルに人が接近したり挟まれたりした場合に電磁ブレーキを解除してドアパネルが回転方向の逆方向に折曲し回転体の回転を停止するので、ドアパネルと人が接触してもその衝撃は小さく、安全性の高い回転ドアとなっている。
しかも、強風等によってドアクローザの保持力よりも大きい風圧を受けても、電磁ブレーキによってドアパネルは回転方向と逆方向には回動しないので、回転ドアの安全機能の誤作動を防止し、利用者の通行を妨げないのである。
【０００４】
また、折曲可能な扉を有する回転ドアとして、特許文献２には、建物の出入口開口部の床面上方に回転自在に架設支承される天井構造と、この天井構造に垂設されて天井構造と一体に回転する四枚の扉支持パネルと、この扉支持パネルと天井構造に開閉可能に吊設支承されて扉の揺動端が回転ドアの中心軸で相互に対向するように配置されて扉支持パネルと一体的に回動する四枚の扉とを有する回転ドアが開示されている。
この特許文献２に開示された発明では、回転ドアの回転を停止して扉を揺動自在にすると、扉を出入口の通過方向と平行になるように押し開くことができるので、出入口の全幅に匹敵する通行幅の確保を可能にしている。したがって、従来、通行幅の狭い回転ドアを緊急時の避難口や大型の荷物の搬入搬出路として使用することができる。
【特許文献１】特開平６−１０８７３５号公報
【特許文献２】特開平９−７８９５２号公報
【発明の開示】
【発明が解決しようとする課題】
【０００５】
しかしながら、特許文献１に記載された従来の技術では、確かにセンサと電磁ブレーキを併用することで様々な状況に対応しながら利用者の安全性を確保しているが、利用者がドアパネルに接触した場合、ドアパネル全体が回転方向の逆方向に折曲するので、折曲した扉によって次の区画に入っている利用者に危険が及ぶ可能性があるという課題があった。
また、センサを用いて電磁ブレーキの解除を行なうため、センサの感度に支障がある場合には電磁ブレーキの不作動などの可能性もある。すなわち、何らかの動的な要素を介して保障される安全性であるため、完全な安全性を担保できるものではないという課題があった。さらに、重い扉全体が折曲するため発生する慣性力も大きく、しかも動きが緩慢となり迅速な対応が困難という課題もあった。
【０００６】
また、特許文献２に記載された従来の技術では、折曲する扉の構造が開示されているものの、この扉は回転ドアの停止時に効果を発揮するものであって、特定の回転ドアの停止位置に対応させて、回転ドアの扉を折り畳んで安全に避難者が通過できるようにするものある。従って、回転する回転ドアにおける利用者の安全通行時には必ずしも用をなさず、たとえ回転時に機能させたとしても停電時や非常時の信号を受信して駆動制御ユニットが上部ピボットヒンジや電磁ロックを釈放する必要があり、特許文献１と同様に動的な要素を介して保障される安全性であり、センサや制御系の信頼性にも依存する側面を備えているという課題があった。また、特許文献１と同じく動きの緩慢さや重い扉に発生する大きな慣性力も課題となっていた。
【０００７】
本発明はかかる従来の事情に対処してなされたものであり、構造が簡単で、しかも静的なメカニズムで信頼性の高い安全性を担保し利用者が安全に通行できる回転ドアを提供することを目的とする。
【課題を解決するための手段】
【０００８】
上記目的を達成するため、請求項１記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、ヒンジは回転体の回転方向と逆方向に開いた第２のドアパネルを閉じさせる復元力を付勢する弾性部を具備するものである。
上記構成の回転ドアでは、第１のドアパネルに枢設される第２のドアパネルは回転体の回転方向の逆方向に開閉し、第２のドアパネルが回転体の回転方向の逆方向に開くと、弾性部を具備するヒンジによって第２のドアパネルは回転方向の順方向に自動的に閉じるという作用を有する。あるいは、ヒンジは開こうとする第２のドアパネルに対して開かないような抑止力を付加する作用を有する。
【０００９】
また、請求項２に記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、この第２のドアパネルにドアクローザが設けられ、このドアクローザは回転体の回転方向と逆方向に開いた第２のパネルを閉じさせる復元力を付勢するものである。
上記構成の回転ドアでは、第１のドアパネルに枢設され、回転体の回転方向の逆方向に開閉可能な第２のドアパネルは、回転体の回転方向の逆方向に開くと、第２のドアパネルに設けられるドアクローザによって、回転方向の順方向に自動的に閉じるという作用を有する。あるいは請求項１記載の発明と同様に開こうとする第２のドアパネルに対する抑止力をドアクローザが付加する作用を有する。
【００１０】
そして、請求項３に記載の発明である回転ドアは、請求項１又は請求項２に記載の回転ドアにおいて、ドアパネルの上方に固設され、第２のドアパネルの回転体の回転方向の順方向への開閉を抑止するストッパを具備するものである。
このような回転ドアにおいては、請求項１又は請求項２に記載の発明の作用に加えて、ヒンジやドアクローザによって付勢される復元力によって回転方向の順方向側へ第１のドアパネルと形成される同一平面を超えて開くことを防止する作用を有する。また、第２のドアパネルが回転体の回転方向の逆方向に開いて順方向に閉じる際にも、同じく第１のドアパネルと形成される同一平面を超えて第２のドアパネルが回転体の回転方向の順方向側へ回動するのを防止するという作用を有する。
【００１１】
請求項４に記載の発明である回転ドアは、請求項１乃至請求項３のいずれか１項に記載の回転ドアにおいて、第２のドアパネルの下方に転動部が設置されるものであり、請求項１乃至請求項３のいずれか１項に記載の発明の作用に加えて、第２のドアパネルのみならず、第１のドアパネルの重量も支えながら第２のドアパネルの開閉を容易にするという作用を有する。
【００１２】
請求項５に記載の発明である回転ドアは、請求項１乃至請求項４のいずれか１項に記載の回転ドアにおいて、第１のドアパネルと第２のドアパネルの間にはスリット部が形成されるものであり、請求項１乃至請求項４のいずれか１項に記載の発明の作用に加えて、第２のドアパネルが開閉する際の折曲部分に常時隙間を形成し、利用者の手指の挟みこみを回避するという作用を有する。
【００１３】
請求項６に記載の発明である回転ドアは、請求項１乃至請求項５のいずれか１項に記載の回転ドアにおいて、第１のドアパネルと第２のドアパネルの互いに隣接する端部は、対向する曲面に形成されるものであり、請求項１乃至請求項５のいずれか１項に記載の発明の作用に加えて、第１のドアパネルと第２のドアパネルの互いに隣接する端部に鉛直方向に長い溝状の隙間を形成して利用者の手指の挟みこみを回避するという作用を有する。
【００１４】
最後に、請求項７に記載の発明である回転ドアは、請求項１乃至請求項６のいずれか１項に記載の回転ドアにおいて、第２のドアパネルの開状態を検出して検出信号を発生するセンサと、このセンサからの検出信号を受信して回転体の駆動源へ停止信号を送信する制御部とを有するものである。
上記構成の回転ドアでは、請求項１乃至請求項６のいずれか１項に記載の発明の作用に加えて、センサによって第２のドアパネルの開状態が検出されると、制御部は回転体の回転を停止させるという作用を有する。
【発明の効果】
【００１５】
本発明の請求項１乃至請求項７記載の回転ドアでは、ドアパネルを鉛直方向にニ分割し、第２のドアパネルが第１のドアパネルに回転体の回転方向の逆方向に開閉可能に枢設されるので、利用者が側壁とドアパネルに挟まれそうになった場合は、第２のドアパネルが回転体の回転方向の逆方向に開いて、利用者に避難空間を与えることができる。ドアをニ分割するため、開く第２のドアパネルを軽量化することができ、慣性力が小さくなるので万一の際にも挟まれた利用者に対する衝撃が小さく、また、時間遅れなく利用者の避難空間を形成させることができる。
また、弾性部を具備したヒンジやドアクローザを設けているので、第２のドアパネルの回転体の回転方向の逆方向の開状態を容易に復元して第１のドアパネルと第２のドアパネルを同一平面に形成し通常のドアパネルとして機能させることができる。また、第２のドアパネルが不用意に開動作しないようにすることができる。
そして、特に請求項３記載の発明においては、第２のドアパネルはストッパによって回転体の回転方向の順方向への開閉が抑止されているので、第２のドアパネル回転体の回転方向の逆方向に開いて閉じる際に第１のドアパネルを超えて回転体の回転方向の順方向へ回動することがなく、利用者に第２のドアパネルが衝突することを防止している。
さらに、特に請求項４記載の発明では、第２のドアパネルの下方には車輪部が設けられているので、第２のドアパネルの回転体の回転方向の逆方向の開閉を容易にすることができる。
また、請求項５や請求項６に記載された発明では、第１のドアパネルと第２のドアパネルが隣接する部分には、スリット部が設けられたり、端部が曲面に形成されたりしているので、利用者の指や衣類等の挟入を防止することができる。
そして、請求項７に記載された発明では、第２のドアパネルの開状態をセンサが検出すると、制御部は回転体の駆動源へ停止を指示するので、利用者の安全性を高めるとともに、開状態のレベルを設定すると回転ドアが不必要に停止する誤作動を低減することができる。
【発明を実施するための最良の形態】
【００１６】
以下に、本発明に係る回転ドアの実施の形態を図１乃至図８に基づき説明する。
図１は、本発明の本実施の形態に係る回転ドアの概念図である。
図１において、回転ドア１は、回転軸２に放射状に軸支される四枚のドアパネルと円弧状の対向する側壁８，８を有しており、図示していないが、回転軸２は接続される駆動モータによって矢印Ａで示される回転方向に回転し、この回転軸２の回転に伴って四枚のドアパネルも回転方向Ａに回動するようになっている。
したがって、回転ドア１が設置される建築物では、利用者は、入口９から各ドアパネル間に形成される区画に入ってドアパネルの回動に合わせて歩行すると出口１０に到達し、二つの出入口間を通行することができる。
回転ドア１の各ドアパネルは、詳細は後述するが、第１のドアパネル３と第２のドアパネル４から構成されており、第２のドアパネル４はヒンジ５を介して第１のドアパネル３に枢設され、回転方向Ａの逆方向に開閉することができる。
なお、本実施の形態では、四枚のドアパネルを設置しているが、ドアパネルの設置数は特に限定されるものではなく、二枚扉や三枚扉にすることもできる。
また、第１のドアパネル３と第２のドアパネル４にはドアクローザ６が跨設されており、第２のドアパネル４に対して回転ドア１の回転方向と同じ方向に力を発生させている。この力は、第２のドアパネル４が回転方向と逆方向に開いた際には元の状態に戻るように復元力として作用したり、開いていない状態にあっても不用意に第２のドアパネル４が回転方向と逆方向に開かないように抑止力として作用するものである。
また、第２のドアパネル４の下部にはキャスタ７が設置されており、第２のドアパネル４のみならず第１のドアパネル３重量も支えながら、第２のドアパネル４の開閉を補助する役割を担っている。キャスタ７は、本実施の形態においては第２のドアパネル４の下部に設置されているが、第１のドアパネル３の下部に設置してもよいし、両方の下部に設置してもよい。
【００１７】
次に、図２を用いてドアパネルの構造について詳細に説明する。
図２は、本実施の形態に係る回転ドアのドアパネルの外形図である。
図２において、第１のドアパネル３と第２のドアパネル４は二枚で同一平面を形成し一枚のドアパネルを構成している。第１のドアパネル３は、強化ガラスなどのガラス製あるいは合成樹脂製の透明部材や不透明部材の周囲に第１のドアパネル用枠体１１を設けたものであり、第２のドアパネル４も同様である。但し、第１のドアパネル３あるいは第２のドアパネル４は、強度上問題なければ第１のドアパネル用枠体１１や第２のドアパネル用枠体１２を設けなくともよい。
これらのドアパネルの連結には、ヒンジ５が用いられており、隣接する第１のドアパネル用枠体１１と第２のドアパネル用枠体１２の上下二箇所に固定されている。なお、ヒンジ５は回転ドアの回転方向をドアパネルの正面側とすると背面側に設置されており、第２のドアパネル４は回転方向とは逆方向に開閉することができるようになっている。
一方、ドアパネルの正面側の上方には、ドアクローザ６が第１のドアパネル３と第２のドアパネル４を跨いで第１のドアパネル用枠体１１及び第２のドアパネル用枠体１２部分に固設されている。このドアクローザ６は、前述のとおり第２のドアパネル４が回転方向の逆方向に開いた場合に自動的に回転方向に閉じさせるものであり、折曲した第２のドアパネル４を第１のドアパネル３との同一平面に形成させ、再び一枚のドアパネルとして機能させる。このドアクローザ６は、２本の腕が１本の支持軸から延設されるもので、２本の腕によって形成される角度が開くと閉じる方向へ復元力が働くように支持軸の内部に弾性体あるいは油圧駆動装置などが格納されるものである。あるいは、支持軸の内部に代えて、２本の腕のいずれか一方あるいは両方の端部に復元力を発生させる部分を設けてその内部に弾性体あるいは油圧駆動装置などを格納しておくことで、ドアクローザ６を構成することも可能である。
ヒンジ５は、２枚の板状金具を１本の軸で枢支するものであるが、この軸の周囲にバネを巻回することによって２枚の板状金具に復元力を持たせることが可能である。このばね付きのヒンジ５による復元力で第２のドアパネル４を自動的に回転方向へ閉じさせることが可能な場合には、ドアクローザ６を用いる必要はなく、復元力を備えたヒンジ５のみを設置してもよい。
【００１８】
そして、第１のドアパネル３と第２のドアパネル４の隣接する端部には、各々第１のドアパネルの切欠部１３と第２のドアパネルの切欠部１４が設けられており、これら二つの切欠部によって一つのスリットが形成されている。このスリットは、第２のドアパネル４の開閉時の折曲部において常に隙間を形成するので、利用者が第２のドアパネル４を開閉する際に誤って指や衣服等が挟入することを防止する効果がある。
なお、スリットの幅は人間の指が入る程度に形成され、具体的には少なくとも略２ｃｍ幅が必要であると考えられる。したがって、第１のドアパネルの切欠部１３と第２のドアパネルの切欠部１４は共に略１ｃｍの幅を少なくとも備えるこことになる。
また、第１のドアパネルの切欠部１３と第２のドアパネルの切欠部１４は両方設置してもよいが、いずれか一つ設置するようにしてもよい。すなわち、例えば第１のドアパネルの切欠部１３は設けず、第２のドアパネル４側にのみ、略２ｃｍの切欠部を設けてもよい。
但し、スリットを設けることによって建築物の気密性の低下が懸念される場合は、例えば、ゴム等の柔軟なクッション材料をスリット部分に装着すると、利用者の指が挟まれても柔らかいので痛みも怪我もなく、また、衣類を挟んでも簡単に抜き取ることができ、しかも、建築物の気密性を保持することができる。
【００１９】
さらに、第２のドアパネル４の下方の側壁側にはキャスタ７が設置されており、このキャスタ７によって第２のドアパネル４の開閉に要する力が軽減され、第２のドアパネル４の開閉をスムース且つ迅速に行うことができる。
また、本実施の形態では、ドアクローザ６等の付属品の設置によって、通常のドアパネルよりも重量が重くなるので、キャスタ７は前述のとおり、第１のドアパネル３も含めてドアパネル全体を支持する役割も担っており、ドアパネルのクリープ現象による変形を防止することもできる。
【００２０】
ここで、図３を用いて第２のドアパネルの開閉操作について説明する。
図３（ａ）は、本実施の形態に係る回転ドアのドアパネルの上面図であり、（ｂ）は同じく回転ドアのドアパネルが折曲した場合の上面図である。
図３（ａ）において、ドアパネルを上方からみると、一直線状に配置された第１のドアパネル３と第２のドアパネル４の回転順方向側１５には、ドアクローザ６が第１のドアパネル３と第２のドアパネル４の上方に跨設されている。一方、回転逆方向側１６にはヒンジ５が第１のドアパネル３と第２のドアパネル４に介設されている。
なお、省略しているが、厳密には、第１のドアパネル３及び第２のドアパネル４の上部には、図２に示されるとおり、各々周設された第１のドアパネル用枠体１１及び第２のドアパネル用枠体１２があり、これらの枠体にドアクローザ６及びヒンジ５は設置されている。
【００２１】
次に、図３（ｂ）において、回転順方向側１５から第２のドアパネル４が押されると、第２のドアパネル４はヒンジ５を支点として回転逆方向側１６に簡単に開く。したがって、回転順方向側１５の区画に入っている利用者が側壁とドアパネルに挟まれそうになった場合においても、第２のドアパネル４が回転逆方向側１６に開くので、利用者は側壁とドアパネルに挟まれることなく、容易に避難することができる。
なお、第２のドアパネル４に必要な幅は、利用者が側壁とドアパネルに挟まれることを防止するために必要な幅であり、具体的には、少なくとも子供の肩幅程度（約４０〜５０ｃｍ）必要であり、十分な幅としては成人男性の肩幅程度（６０〜７０ｃｍ程度）が目安となる。
また、回転逆方向側１６に開いた第２のドアパネル４は、利用者が次のドアパネルによって形成される後方の区画に避難して第２のドアパネル４を回転逆方向側１６に押す力がなくなると、ドアクローザ６によって速やかに回転順方向側１５に閉じて復元され、第１のドアパネル３と同一平面を形成して、元のドアパネルとして機能するようになっている。
【００２２】
続いて、図４を用いてスリットの変形例について説明する。
図４は、本実施の形態に係る回転ドアのドアパネルの水平断面図である。
図４において、ドアパネルの断面をみると、隣接する第１のドアパネルの端部１７と第２のドアパネルの端部１８が対向する曲面状に形成されていることがわかる。このように隣接する端部を各々対向する曲面状に形成すると、端部には角部がなくなるので、第１のドアパネルの端部１７と第２のドアパネルの端部１８の表面には、回転順方向側１５及び回転逆方向側１６の両側に鉛直方向に長い溝状の隙間１９，１９が形成される。また、この隙間１９，１９は対向する曲面で形成されるため、第２のドアパネル４の開閉によってもその隙間距離の狭まりを緩和することができる。
したがって、利用者の指や衣類等は挟入しにくく、第２のドアパネル４の開閉を安全に行うことができるのである。
なお、回転順方向側１５のみの角部を曲面に形成するようにしてもよい。
また、前述の切欠部によるスリットに比較すれば、溝状の隙間１９，１９はその間隙を狭くすることができるため、外気と内気を遮断して建築物の気密性を保持する効果を大きくすることができる。
【００２３】
次に、図５及び図６を用いてストッパについて説明する。
図５は、本実施の形態に係る回転ドアにおいてストッパが設置されたドアパネルの概念図であり、（ａ）は斜視図、（ｂ）は（ａ）において符号Ｂの方向から見た背面図である。
図５（ａ），（ｂ）において、ストッパ２０は、断面がＬ字型の形状を有するものであり、Ｌ字の直角部分が第２のドアパネル用枠体１２及び第１のドアパネル用枠体１１の上方で回転順方向側１５の角部に接するように配置されている。
また、ストッパ２０は、図示していないが、回転軸又は回転軸に載置される円形体等から延設されており、第２のドアパネル４上にも設けられているが、連結はされていないので、第２のドアパネル４が回転逆方向側１６に開いてもストッパ２０は元の第２のドアパネル４が閉じた位置にあり動かないようになっている。
図５（ｂ）において、ドアクローザ６は、このストッパ２０に設置される固定具６ａを介して、軸６ｄによって枢支される２本の腕６ｂ，６ｃが油圧装置部６ｅによって駆動される構成となっており、第２のドアパネル用枠体１２及び第２のドアパネル４を一体として回転方向と順方向へ復元力を付勢するものである。
回転逆方向側１６に開いた第２のドアパネル４が、ドアクローザ６によって回転順方向側１５に閉じる際には、ストッパ２０はＬ字状の直角部分で第２のドアパネル用枠体１２を受け止め、第２のドアパネル４が第１のドアパネル３と形成する同一平面を超えて回転順方向側１５に回動するのを抑止することができる。
したがって、本実施の形態においては、ストッパ２０を設置することによって、第２のドアパネル４が回転逆方向側１６から回転順方向側１５に閉じる際に、回転順方向側１５にいる利用者に衝突することなく、より安全性を高めることができる構造となっている。
【００２４】
また、図６（ａ）は、本実施の形態に係る回転ドアにおいてストッパの変形例が設置されたドアパネルの上面図であり、図６（ｂ）は、（ａ）に示される符号Ｃの方向から見た背面図である。
図６（ａ）において、ストッパ２１が設置されたドアパネルを上方からみると、ストッパ２１は回転順方向側１５にあり、一端は第１のドアパネル３の上部側に固定され、端部が鉤状になった他端は第２のドアパネル４の側壁側の端部に接している。このストッパ２１は、図５におけるストッパと同様に、第２のドアパネル４が回転逆方向側１６から回転順方向側１５に向かって閉じる際に、第２のドアパネル４を衝止し、第２のドアパネル４が第１のドアパネル３を越えて回転順方向側１５に回動しないように抑止している。
図５に示されたストッパ２０との相違点は、ストッパ２１はドアパネルの回転軸又は回転軸に載置される円形体等から延設されるものではなく、図６（ｂ）にも示されるとおり、第１のドアパネル用枠体１１から延設されるものであり、第１のドアパネル用枠体１１や第２のドアパネル用枠体１２の上面を覆うものではない。したがって、小型のストッパとしてドアパネルの端部に設置することができる。
このように端部に設置される小型のストッパ２１によっても、回転順方向側１５にいる利用者を第２のドアパネル４の開閉による不意な衝突を防止することができるのである。
なお、前述のドアクローザは図示していないが、図５に示されたドアクローザ６であれば、ストッパ２１の側面に固定具６ａを設けて、油圧装置部６ｅを第２のドアパネル用枠体１２に設けるようにすればよいし、あるいは図３に示されるようなドアクローザ６であれば、第１のドアパネル用枠体１１と第２のドアパネル用枠体１２にそれぞれ腕を固定するように設置するとよい。もちろん、ヒンジ５をばね付きのものとすれば、そのばね力が十分であれば、ドアクローザ６を設ける必要がない場合もあることは前述のとおりである。
【００２５】
続いて、回転ドアの使用例を図７を参照しながら説明する。
図７は、本実施の形態に係る回転ドアの使用方法を説明するための概念図である。
まず、図７（ａ）において、回転ドア１を上方からみると、対向する側壁８，８の略中心に設置される回転軸２を支軸として、各々第１のドアパネル３と第２のドアパネル４で構成された四枚のドアパネルが矢印Ａの回転方向に回転し、入口９から出口１０への利用者の通行を可能にしている。
次に、図７（ｂ）において、利用者２２は、回転ドア１が設置された建築物に入るために、回転ドア１を通過しようとしている。一方、回転ドア１は回転を続けており、区画２３に代わって区画２４が入口９の正面になろうとしている。利用者２２は、新たに入口９の正面となる区画２４に入れば良いものの、狭くなっていく区画２３を前にして慌ててしまい、区画２３に思わず駆け込んでしまうとする。
そして、図７（ｃ）において、利用者２２は、一の側壁８とドアパネルに挟まれてしまうが、第２のドアパネル４が回転方向の逆方向に開くので、広い入口９へ避難することができるのである。
さらに、詳細は後述するが、第２のドアパネル４が回転方向の逆方向に開くと、回転軸２の回転が停止するようになっており、回転軸２の停止に伴ってドアパネルの回動も停止するので、利用者２２が次のドアパネルに衝突するのを防止し、また、利用者２２は落ち着いて行動することができる。
このように、回転ドア１は回転を伴うために、利用者２２の心情を乱し、思いがけない事故を引き起こすことがあり、特に、好奇心が強く注意力が不足する子供においては注意が必要になるが、本実施の形態においては、利用者２２は側壁８とドアパネルに挟まれても容易に第２のドアパネル４が回転方向の逆方向に開くので、ドアパネルと構造物に挟まれることなく速やかに安全な場所へ避難することができるのである。しかも、第２のドアパネル４は軽く慣性力が弱いため、衝撃力が弱く、挟まれなかったとしても第２のドアパネル４との衝突によって受ける衝撃も軽微ですむ。
【００２６】
最後に、図８を用いてセンサ及び制御部について説明する。
図８は、本実施の形態に係る回転ドアのシステム構成図である。
図８において、回転軸２には駆動モータ２６が接続されており、この駆動モータ２６を駆動源として回転軸２は回転運動している。そして、回転軸２の回転に伴って、連結される複数の第１のドアパネル３及び第２のドアパネル４が回動するようになっている。
また、駆動モータ２５には制御部２６が接続され、さらに、制御部２６にはセンサ２７が接続されている。センサ２７は第２のドアパネル４の開状態を検出して検出信号を作成するものであり、そして、制御部２６はこの検出信号を受信して駆動モータ２５の停止信号を作成し、駆動モータ２５へ送信するものである。
したがって、第２のドアパネル４が開くと、センサ２７によって開状態が検出されて、制御部２６において駆動モータ２５が停止されるので、回転軸２の回転は停止し、同時に、第１のドアパネル３と第２のドアパネル４の回動も停止するので、ドアパネルと側壁に利用者が挟まれて、第２のドアパネル４が開いた場合に、利用者は一層安全に避難することができる。
なお、センサ２７には、例えば、接点スイッチを用いることができ、第１のドアパネル３と第２のドアパネル４の中間に設けてもよいし、ドアクローザやヒンジ等に設置してもよい。また、赤外線などの電磁波センサとして開度あるいは開閉部分の間隙距離を測定しておき、一定距離以上離れた場合に信号を発生させるようにしておいてもよい。このセンサは特に発明の内容を限定するものではなく、どのような原理でも第２のドアパネル４の開状態を検知できるものであればよい。
また、第２のドアパネル４の開く角度を、例えば、１０度以上の場合に接点スイッチが感知するように設定すると、強風や利用者の誤った接触によって第２のドアパネル４がわずかに開いた程度では接点スイッチによる感知は行われず、制御部２７による駆動モータ２６の停止が行われないので、回転ドアの不必要な停止を防止し、利用者の通行を円滑に行うことができる。
【００２７】
このように構成された本実施の形態においては、ドアパネルが第１のドアパネルと第２のドアパネルに分割された構造で、第２のドアパネルが回転方向の逆方向に開閉できるようになっているので、利用者がドアパネルと側壁に挟まれそうになっても第２のドアパネルが回転方向の逆方向に小さな力で開き、ドアパネルと側壁との挟入を防ぎ、避難空間を与えるので、利用者は安全な場所へと避難することができる。
また、第１のドアパネルと第２のドアパネルの隣接する端部には、スリットや曲面部が形成されているので、第２のドアパネルの開閉に際して、利用者の指や衣類等を挟入しない構造になっている。
そして、ストッパが設置されているので、開状態の第２のドアパネルが閉じる際に、第１のドアパネルを超えて第２のドアパネルが回転順方向側に回動することがないので、回転順方向側にいる利用者が第２のドアパネルに接触することがなく安全である。
さらに、第２のドアパネルの開状態を検出して検出信号を発生するセンサと、この検出信号に基づいて回転体の駆動を停止する制御部を備えているので、利用者がドアパネルと側壁に挟まれて第２のドアパネルが開いた場合には、直ちに、回転ドアの回転が停止するので、利用者は速やかに避難することができる。
【産業上の利用可能性】
【００２８】
以上説明したように、本発明の請求項１乃至請求項７に記載された発明は、利用者が安全に通行できる回転ドアを提供可能であり、ビルや公共施設等の出入口において使用可能である。
【図面の簡単な説明】
【００２９】
【図１】本発明の本実施の形態に係る回転ドアの概念図である。
【図２】本実施の形態に係る回転ドアのドアパネルの外形図である。
【図３】（ａ）は本実施の形態に係る回転ドアのドアパネルの上面図であり、（ｂ）は同じく回転ドアのドアパネルが折曲した場合の上面図である。
【図４】本実施の形態に係る回転ドアのドアパネルの水平断面図である。
【図５】本実施の形態に係る回転ドアにおいてストッパが設置されたドアパネルの概念図であり、（ａ）は斜視図、（ｂ）は（ａ）において符号Ｂの方向から見た背面図である。
【図６】（ａ）は本実施の形態に係る回転ドアにおいてストッパの変形例が設置されたドアパネルの上面図であり、（ｂ）は（ａ）に示される符号Ｃの方向から見た背面図である。
【図７】本実施の形態に係る回転ドアの使用方法を説明するための概念図である。
【図８】本実施の形態に係る回転ドアのシステム構成図である。
【符号の説明】
【００３０】
１…回転ドア  ２…回転軸  ３…第１のドアパネル  ４…第２のドアパネル  ５…ヒンジ  ６…ドアクローザ  ６ａ…固定具  ６ｂ，６ｃ…腕  ６ｄ…軸  ６ｅ…油圧装置部  ７…キャスタ  ８…側壁  ９…入口  １０…出口  １１…第１のドアパネル用枠体  １２…第２のドアパネル用枠体  １３…第１のドアパネルの切欠部  １４…第２のドアパネルの切欠部  １５…回転順方向側  １６…回転逆方向側  １７…第１のドアパネルの端部  １８…第２のドアパネルの端部  １９…溝状の隙間  ２０…ストッパ  ２１…ストッパ  ２２…利用者  ２３…区画  ２４…区画  ２５…駆動モータ  ２６…制御部  ２７…センサ  Ａ…回転方向
【図１】
2005330705.tif 000003
【図２】
2005330705.tif 000004
【図３】
2005330705.tif 000005
【図４】
2005330705.tif 000006
【図５】
2005330705.tif 000007
【図６】
2005330705.tif 000008
【図７】
2005330705.tif 000009
【図８】
2005330705.tif 000010
【手続補正書】
【提出日】平成16年6月7日(2004.6.7)
【手続補正１】
【補正対象書類名】明細書
【補正対象項目名】００２９
【補正方法】変更
【補正の内容】
【００２９】
【図１】本発明の本実施の形態に係る回転ドアの概念図である。
【図２】本実施の形態に係る回転ドアのドアパネルの外形図である。
【図３】（ａ）は本実施の形態に係る回転ドアのドアパネルの上面図であり、（ｂ）は同じく回転ドアのドアパネルが折曲した場合の上面図である。
【図４】本実施の形態に係る回転ドアのドアパネルの水平断面図である。
【図５】本実施の形態に係る回転ドアにおいてストッパが設置されたドアパネルの概念図であり、（ａ）は斜視図、（ｂ）は（ａ）において符号Ｂの方向から見た背面図である。
【図６】（ａ）は本実施の形態に係る回転ドアにおいてストッパの変形例が設置されたドアパネルの上面図であり、（ｂ）は（ａ）に示される符号Ｃの方向から見た背面図である。
【図７】（ａ），（ｂ），（ｃ）はいずれも本実施の形態に係る回転ドアの使用方法を説明するための概念図である。
【図８】本実施の形態に係る回転ドアのシステム構成図である。
【手続補正書】
【提出日】平成16年9月13日(2004.9.13)
【手続補正１】
【補正対象書類名】特許請求の範囲
【補正対象項目名】全文
【補正方法】変更
【補正の内容】
【特許請求の範囲】
【請求項１】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、前記第１のドアパネルと第２のドアパネルは、それぞれ隣接する側部中央には枠体を備えることなく、それぞれ上下の側部に枠体を備え、前記ヒンジは前記第１のドアパネルの上下の枠体と前記第２のドアパネルの上下の枠体をそれぞれ連結するように設けられ前記回転体の回転方向と逆方向に開いた前記第２のドアパネルを閉じさせる復元力を付勢する弾性部を具備することを特徴とする回転ドア。
【請求項２】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、前記第１のドアパネルと第２のドアパネルは、それぞれ隣接する側部中央には枠体を備えることなく、それぞれ上下の側部に枠体を備え、前記ヒンジは前記第１のドアパネルの上下の枠体と前記第２のドアパネルの上下の枠体をそれぞれ連結するように設けられ、前記第２のドアパネルの枠体にドアクローザが設けられ、このドアクローザは前記回転体の回転方向と逆方向に開いた前記第２のパネルを閉じさせる復元力を付勢することを特徴とする回転ドア。
【請求項３】
前記第２のドアパネルの下方に転動部が設置されることを特徴とする請求項１又は請求項２に記載の回転ドア。
【請求項４】
前記第１のドアパネルと前記第２のドアパネルの間の枠体が備えられていない部分にスリット部が形成されることを特徴とする請求項１乃至請求項３のいずれか１項に記載の回転ドア。
【手続補正２】
【補正対象書類名】明細書
【補正対象項目名】０００８
【補正方法】変更
【補正の内容】
【０００８】
上記目的を達成するため、請求項１記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、第１のドアパネルと第２のドアパネルは、それぞれ隣接する側部中央には枠体を備えることなく、それぞれ上下の側部に枠体を備え、ヒンジは第１のドアパネルの上下の枠体と第２のドアパネルの上下の枠体をそれぞれ連結するように設けられ回転体の回転方向と逆方向に開いた第２のドアパネルを閉じさせる復元力を付勢する弾性部を具備するものである。
上記構成の回転ドアでは、第１のドアパネルに枢設される第２のドアパネルは回転体の回転方向の逆方向に開閉し、第２のドアパネルが回転体の回転方向の逆方向に開くと、弾性部を具備するヒンジによって第２のドアパネルは回転方向の順方向に自動的に閉じるという作用を有する。あるいは、ヒンジは開こうとする第２のドアパネルに対して開かないような抑止力を付加する作用を有する。
【手続補正３】
【補正対象書類名】明細書
【補正対象項目名】０００９
【補正方法】変更
【補正の内容】
【０００９】
また、請求項２に記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、第１のドアパネルと第２のドアパネルは、それぞれ隣接する側部中央には枠体を備えることなく、それぞれ上下の側部に枠体を備え、ヒンジは第１のドアパネルの上下の枠体と第２のドアパネルの上下の枠体をそれぞれ連結するように設けられ、この第２のドアパネルの枠体にドアクローザが設けられ、このドアクローザは回転体の回転方向と逆方向に開いた第２のパネルを閉じさせる復元力を付勢するものである。
上記構成の回転ドアでは、第１のドアパネルに枢設され、回転体の回転方向の逆方向に開閉可能な第２のドアパネルは、回転体の回転方向の逆方向に開くと、第２のドアパネルに設けられるドアクローザによって、回転方向の順方向に自動的に閉じるという作用を有する。あるいは請求項１記載の発明と同様に開こうとする第２のドアパネルに対する抑止力をドアクローザが付加する作用を有する。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】変更
【補正の内容】
【００１１】
請求項３に記載の発明である回転ドアは、請求項１又は請求項２に記載の回転ドアにおいて、第２のドアパネルの下方に転動部が設置されるものであり、請求項１又は請求項２に記載の発明の作用に加えて、第２のドアパネルのみならず、第１のドアパネルの重量も支えながら第２のドアパネルの開閉を容易にするという作用を有する。
【手続補正６】
【補正対象書類名】明細書
【補正対象項目名】００１２
【補正方法】変更
【補正の内容】
【００１２】
請求項４に記載の発明である回転ドアは、請求項１乃至請求項３のいずれか１項に記載の回転ドアにおいて、第１のドアパネルと第２のドアパネルの間の枠体が備えられていない部分にスリット部が形成されるものであり、請求項１乃至請求項３のいずれか１項に記載の発明の作用に加えて、第２のドアパネルが開閉する際の折曲部分に常時隙間を形成し、利用者の手指の挟みこみを回避するという作用を有する。
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】変更
【補正の内容】
【００１５】
本発明の請求項１乃至請求項４記載の回転ドアでは、ドアパネルを鉛直方向にニ分割し、第２のドアパネルが第１のドアパネルに回転体の回転方向の逆方向に開閉可能に枢設されるので、利用者が側壁とドアパネルに挟まれそうになった場合は、第２のドアパネルが回転体の回転方向の逆方向に開いて、利用者に避難空間を与えることができる。ドアをニ分割するため、開く第２のドアパネルを軽量化することができ、慣性力が小さくなるので万一の際にも挟まれた利用者に対する衝撃が小さく、また、時間遅れなく利用者の避難空間を形成させることができる。
また、弾性部を具備したヒンジやドアクローザを設けているので、第２のドアパネルの回転体の回転方向の逆方向の開状態を容易に復元して第１のドアパネルと第２のドアパネルを同一平面に形成し通常のドアパネルとして機能させることができる。また、第２のドアパネルが不用意に開動作しないようにすることができる。
そして、特に請求項３記載の発明では、第２のドアパネルの下方には車輪部が設けられているので、第２のドアパネルの回転体の回転方向の逆方向の開閉を容易にすることができる。
また、請求項４に記載された発明では、第１のドアパネルと第２のドアパネルが隣接する部分には、スリット部が設けられているので、利用者の指や衣類等の挟入を防止することができる。
【手続補正書】
【提出日】平成17年4月18日(2005.4.18)
【手続補正１】
【補正対象書類名】特許請求の範囲
【補正対象項目名】全文
【補正方法】変更
【補正の内容】
【特許請求の範囲】
【請求項１】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、前記第１のドアパネルと第２のドアパネルは、それぞれ隣接する側部は中央には枠体を備えることなくスリット部が形成され、それぞれ上下の側部には、このそれぞれの上下の側部から前記それぞれ隣接する側部の上下端を介して中央寄りに一部延設される枠体を備え、前記ヒンジは前記第１のドアパネルの上下の枠体と前記第２のドアパネルの上下の枠体をそれぞれ連結するように設けられ前記回転体の回転方向と逆方向に開いた前記第２のドアパネルを閉じさせる復元力を付勢する弾性部を具備することを特徴とする回転ドア。
【請求項２】
回転自在に設置される回転体と、この回転体に軸支される複数のドアパネルとを有する回転ドアであって、前記ドアパネルは、前記回転体に隣接する第１のドアパネルと、この第１のドアパネルにヒンジを介して枢設され前記回転体の回転方向の逆方向に開閉可能な第２のドアパネルとを備え、前記第１のドアパネルと第２のドアパネルは、それぞれ隣接する側部中央には枠体を備えることなくスリット部が形成され、それぞれ上下の側部には、このそれぞれの上下の側部から前記それぞれ隣接する側部の上下端を介して中央寄りに一部延設される枠体を備え、前記ヒンジは前記第１のドアパネルの上下の枠体と前記第２のドアパネルの上下の枠体をそれぞれ連結するように設けられ、前記第２のドアパネルの枠体にドアクローザが設けられ、このドアクローザは前記回転体の回転方向と逆方向に開いた前記第２のパネルを閉じさせる復元力を付勢することを特徴とする回転ドア。
【請求項３】
前記第２のドアパネルの下方に転動部が設置されることを特徴とする請求項１又は請求項２に記載の回転ドア。
【手続補正２】
【補正対象書類名】明細書
【補正対象項目名】０００８
【補正方法】変更
【補正の内容】
【０００８】
上記目的を達成するため、請求項１記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、第１のドアパネルと第２のドアパネルは、それぞれ隣接する側部中央には枠体を備えることなくスリット部が形成され、それぞれ上下の側部には、このそれぞれの上下の側部からそれぞれ隣接する側部の上下端を介して中央寄りに一部延設される枠体を備え、ヒンジは第１のドアパネルの上下の枠体と第２のドアパネルの上下の枠体をそれぞれ連結するように設けられ回転体の回転方向と逆方向に開いた第２のドアパネルを閉じさせる復元力を付勢する弾性部を具備するものである。
上記構成の回転ドアでは、第１のドアパネルに枢設される第２のドアパネルは回転体の回転方向の逆方向に開閉し、第２のドアパネルが回転体の回転方向の逆方向に開くと、弾性部を具備するヒンジによって第２のドアパネルは回転方向の順方向に自動的に閉じるという作用を有する。あるいは、ヒンジは開こうとする第２のドアパネルに対して開かないような抑止力を付加する作用を有する。
また、第１のドアパネルと第２のドアパネルの間の枠体が備えられていない部分にスリット部が形成されるものであり、第２のドアパネルが開閉する際の折曲部分に常時隙間を形成し、利用者の手指の挟みこみを回避するという作用を有する。
【手続補正３】
【補正対象書類名】明細書
【補正対象項目名】０００９
【補正方法】変更
【補正の内容】
【０００９】
また、請求項２に記載の発明である回転ドアは、回転自在に設置される回転体と、この回転体に軸支される複数のドアパネルとを有する回転ドアであって、ドアパネルは、回転体に隣接する第１のドアパネルと、この第１のドアパネルにヒンジを介して枢設され回転体の回転方向の逆方向に開閉可能な第２のドアパネルとを備え、第１のドアパネルと第２のドアパネルは、それぞれ隣接する側部中央には枠体を備えることなくスリット部が形成され、それぞれ上下の側部には、このそれぞれの上下の側部からそれぞれ隣接する側部の上下端を介して中央寄りに一部延設される枠体を備え、ヒンジは第１のドアパネルの上下の枠体と第２のドアパネルの上下の枠体をそれぞれ連結するように設けられ、この第２のドアパネルの枠体にドアクローザが設けられ、このドアクローザは回転体の回転方向と逆方向に開いた第２のパネルを閉じさせる復元力を付勢するものである。
上記構成の回転ドアでは、第１のドアパネルに枢設され、回転体の回転方向の逆方向に開閉可能な第２のドアパネルは、回転体の回転方向の逆方向に開くと、第２のドアパネルに設けられるドアクローザによって、回転方向の順方向に自動的に閉じるという作用を有する。あるいは請求項１記載の発明と同様に開こうとする第２のドアパネルに対する抑止力をドアクローザが付加する作用を有する。
また、第１のドアパネルと第２のドアパネルの間の枠体が備えられていない部分にスリット部が形成されるものであり、第２のドアパネルが開閉する際の折曲部分に常時隙間を形成し、利用者の手指の挟みこみを回避するという作用を有する。
【手続補正４】
【補正対象書類名】明細書
【補正対象項目名】００１２
【補正方法】削除
【補正の内容】
【手続補正５】
【補正対象書類名】明細書
【補正対象項目名】００１５
【補正方法】変更
【補正の内容】
【００１５】
本発明の請求項１乃至請求項３記載の回転ドアでは、ドアパネルを鉛直方向にニ分割し、第２のドアパネルが第１のドアパネルに回転体の回転方向の逆方向に開閉可能に枢設されるので、利用者が側壁とドアパネルに挟まれそうになった場合は、第２のドアパネルが回転体の回転方向の逆方向に開いて、利用者に避難空間を与えることができる。ドアをニ分割するため、開く第２のドアパネルを軽量化することができ、慣性力が小さくなるので万一の際にも挟まれた利用者に対する衝撃が小さく、また、時間遅れなく利用者の避難空間を形成させることができる。
また、弾性部を具備したヒンジやドアクローザを設けているので、第２のドアパネルの回転体の回転方向の逆方向の開状態を容易に復元して第１のドアパネルと第２のドアパネルを同一平面に形成し通常のドアパネルとして機能させることができる。また、第２のドアパネルが不用意に開動作しないようにすることができる。
さらに、第１のドアパネルと第２のドアパネルが隣接する部分には、スリット部が設けられているので、利用者の指や衣類等の挟入を防止することができる。
そして、特に請求項３記載の発明では、第２のドアパネルの下方には車輪部が設けられているので、第２のドアパネルの回転体の回転方向の逆方向の開閉を容易にすることができる。